【手続補正書】
【提出日】平成15年9月9日(2003.9.9)
【手続補正１】
【補正対象書類名】明細書
【補正対象項目名】特許請求の範囲
【補正方法】変更
【補正の内容】
【特許請求の範囲】
【請求項１】
呼吸回路用のフィルタであって、
呼吸用チューブに連結することができる入口ポートを形成する入口壁と、
呼吸用チューブに連結することができる出口ポートを形成する出口壁と、
前記入口壁と前記出口壁との間に設けられ、前記入口ポートから前記出口ポートへと気体が通過する気体空間を前記入口ポートと前記出口ポートとの間に形成するハウジングと、
前記気体空間内に延在するフィルタ媒体であって、前記１つの気体空間を前記ハウジング内で入口側チャンバと出口側チャンバとに分割し、入口ポートから前記１つの気体空間を通って出口ポートへと通過する気体が、前記入口側チャンバ、前記フィルタ媒体、及び前記出口側チャンバを通過するようにするフィルタ媒体と、
前記ハウジングを完全に包囲する包囲外壁であって、前記ハウジングとの間に１つまたは２つ以上の空気ポケットを設けるように前記ハウジングから間隔をあけられて前記ハウジングを周囲環境から断熱する包囲外壁と、
を有することを特徴とする呼吸回路用のフィルタ。
【請求項２】
前記フィルタ媒体は、入口ポートから出口ポートへの真直ぐな流路に対して垂直に向けられたほぼ平坦なウェブを有し、このウェブは、前記ハウジングに固定され且つ前記ハウジングでシールされる外縁部を有し、前記ウェブの断面は、入口ポート及び出口ポートのそれぞれの、前記ウェブと平行に採った断面よりも実質的に大きい、
請求項１記載のフィルタ。
【請求項３】
前記ハウジングは、ウェブの前記外縁部から入口ポートおよびフィルタ媒体のそれぞれまで環状に延びる壁部分と、前記フィルタ媒体から前記出口ポートへ収縮する漏斗状部分と、
を含む請求項２記載のフィルタ。
【請求項４】
前記外壁は、第一のカバー部材と、第二のカバー部材と、を有し、第一のカバー部材は、入口ポート周りに嵌まるカラーと、前記フィルタ媒体の周りに環状に位置するか又はフィルタ媒体の外縁付近に位置する外縁部と、前記拡大する漏斗状部分を包囲し且つこの漏斗状部分から間隔をあけるように前記カラーから前記外縁部まで環状に延びる壁部材と、を有し、第二のカバー部材は、出口ポート周りに嵌まるカラーと、フィルタ媒体周りに環状に位置するか又はフィルタ媒体の外縁付近に位置する外縁部と、前記拡大する漏斗状部分を包囲し且つこの漏斗状部分から間隔をあけるように前記カラーから前記外縁部まで環状に延びる壁部材と、を有し、
これら前記第一のカバー部材と前記第二のカバー部材とは、これら第一及び第二のカバー部材の外縁部が実質的にシールされるように連結される、
請求項３記載のフィルタ。
【請求項５】
前記外縁部の連結部はスナップ式連結である、
請求項４に記載のフィルタ。
【請求項６】
前記スナップ式連結は前記カバー部材の一方が前記カバー部材の他方と重なり合うようにする、
請求項５に記載のフィルタ。
【請求項７】
前記カバー部材は、各カバー部材をハウジングに対して位置決めするためにフィルタ媒体に向かって延びてハウジングと当接するスペーサ部材を各カラーに有する、
請求項５に記載のフィルタ。
【請求項８】
前記ハウジングは、二つのプラスチック製構成要素を有し、第一の前記プラスチック構成要素は、入口壁と、前記拡大する漏斗状部分と、を有し、第二の前記プラスチック製構成要素は、出口壁と、前記収縮する漏斗状部分と、を有し、
前記第一のプラスチック製構成要素及び前記第二のプラスチック製構成要素は、各構成要素の外縁部が連結され且つ各構成要素の外縁部の間にフィルタ媒体の外縁部が挟持される、
請求項５に記載のフィルタ。
【請求項９】
前記ハウジングの前記第一のプラスチック製構成要素の外縁部と前記第二のプラスチック製構成要素の外縁部とは互いに永続的に結合されてシールされる、
請求項８に記載のフィルタ。
【請求項１０】
凝結した液体をハウジングと包囲外壁手段との間の空気空間内に排出することができるようにハウジングの外縁に近接してこのハウジングを貫通する１つまたは２つ以上の出口が設けられる、
請求項１ないし９のいずれか１項に記載のフィルタ。
【請求項１１】
第一の方向に延びる入口ポートを形成する入口壁と、この入口壁とほぼ同軸であって、この入口ポートから間隔を置いた出口ポートを形成する出口壁と、前記入口壁から最も広い部分までまず拡大してその後に前記出口壁まで収縮するフィルタ媒体包囲ハウジングと、を有するフィルタ用の断熱カバーであって、
前記入口壁または出口壁の一方周りに密着して嵌まるカラーを有する一対のカバー部材と、
前記カラーを前記フィルタ媒体包囲ハウジングから離間させるために、前記カラーから延び、前記カラーが嵌められる入口壁または出口壁に沿って延びるスペーサ部材と、
前記カラーから前記フィルタの最大の部分を囲うのに十分な外縁部まで延びるシェルと、を有し、
前記フィルタを組み立てる際、前記シェルの外縁部が前記スペーサ部材によって前記フィルタの前記フィルタ媒体包囲ハウジングから間隔を置いた周囲のカラーと係合し、前記フィルタ媒体包囲ハウジングが前記断熱カバー内に完全に包囲されるように、前記一対のカバー部材のそれぞれが前記前記入口壁または前記出口壁のそれぞれに嵌められること、を特徴とする断熱カバー。
【手続補正２】
【補正対象書類名】明細書
【補正対象項目名】０００７
【補正方法】変更
【補正の内容】
【０００７】
【課題を解決するための手段】
第一の態様によれば、本発明は概略的には、呼吸回路用のフィルタであって、呼吸用チューブに連結することができる入口ポートを形成する入口壁と、呼吸用チューブに連結することができる出口ポートを形成する出口壁と、前記入口壁と前記出口壁との間に設けられ、前記入口ポートから前記出口ポートへと気体が通過する気体空間を前記入口ポートと前記出口ポートとの間に形成するハウジングと、前記気体空間内に延在するフィルタ媒体であって、前記１つの気体空間を前記ハウジング内で入口側チャンバと出口側チャンバとに分割して、前記入口ポートから前記１つの気体空間を通って出口ポートへと通過する気体が前記入口側チャンバ、前記フィルタ媒体、及び前記出口側チャンバを通過するようにさせるフィルタ媒体と、前記ハウジングを完全に包囲する包囲外壁であって、この包囲外壁と前記ハウジングとの間に１つまたは２つ以上の空気ポケットを形成するように前記ハウジングから間隔をあけられた前記ハウジングを周囲環境から断熱する包囲外壁と、を有することを特徴としている。


【手続補正３】
【補正対象書類名】明細書
【補正対象項目名】０００８
【補正方法】変更
【補正の内容】
【０００８】
第二の態様によれば、本発明は概略的には、第一の方向に延びる入口ポートを形成する入口壁と、この入口壁とほぼ同軸であって、この入口ポートから間隔を置いた出口ポートを形成する出口壁と、前記入口壁から最も広い部分までまず拡大してその後に前記出口壁まで収縮するフィルタ媒体包囲ハウジングと、を有するフィルタ用の断熱カバーであって、
前記入口壁または出口壁の一方周りに密着して嵌まるカラーを有する一対のカバー部材と、前記カラーを前記フィルタ媒体包囲ハウジングから離間させるために、前記カラーから延び、前記カラーが嵌められる入口壁または出口壁に沿って延びるスペーサ部材と、
前記カラーから前記フィルタの最大の部分を囲うのに十分な外縁部まで延びるシェルと、を有し、前記フィルタを組み立てる際、前記シェルの外縁部が前記スペーサ部材によって前記フィルタの前記フィルタ媒体包囲ハウジングから間隔を置いた周囲のカラーと係合し、前記フィルタ媒体包囲ハウジングが前記断熱カバー内に完全に包囲されるように、前記一対のカバー部材のそれぞれが前記前記入口壁または前記出口壁のそれぞれに嵌められることを特徴としている。


【手続補正４】
【補正対象書類名】明細書
【補正対象項目名】０００９
【補正方法】削除
【補正の内容】